(57)【要約】【課題】Ｓ端子ケーブルをＳ端子コネクタに差し込むときに、このＳ端子コネクタが後側に倒れて動くことを防げて差込み時の力でＳ端子コネクタの脚部に付いている半田とパターンを剥がれにくくすることができる。【解決手段】Ｓ端子コネクタ１の脚部２を基板３に係入係止して、このＳ端子コネクタ１を基板３に取付固定するようにし、Ｓ端子コネクタ１の脚部２は平板状であり、Ｓ端子コネクタ１に前方から接続されるＳ端子ケーブル４の差込み方向に対して脚部２の板面が平行となる向きに設けられ、脚部２の前後方向中央に下端から上側に向けて略Ｕ字形の切り込み２ｂが形成されるとともに下端に係止爪２ｃ、２ｃが設けられ、基板３には、脚部２が係入係止される係入穴５が前後向きに形成されており、Ｓ端子コネクタ１の脚部２を基板３の前後向きの係入穴５に係入係止してＳ端子コネクタ１が基板３に取付固定されるように構成した。【選択図】  図１
2004213929.tif 000002
【特許請求の範囲】
【請求項１】
Ｓ端子コネクタの脚部を基板に係入係止して、このＳ端子コネクタを基板に取付固定するようにしたＳ端子コネクタの基板への取付構造において、前記Ｓ端子コネクタの脚部は平板状であり、Ｓ端子コネクタに前方から接続されるＳ端子ケーブルの差込み方向に対して前記脚部の板面が平行となる向きに設けられ、この脚部の前後方向中央に下端から上側に向けて略Ｕ字形の切り込みが形成されるとともに下端に係止爪が設けられ、前記基板には、この脚部が係入係止される係入穴が前後向きに形成されており、前記Ｓ端子コネクタの脚部を前記基板の前後向きの係入穴に係入係止することによって、前記Ｓ端子コネクタが前記基板に取付固定されるように構成したことを特徴とするＳ端子コネクタの基板への取付構造。
【請求項２】
Ｓ端子コネクタの脚部を基板に係入係止して、このＳ端子コネクタを基板に取付固定するようにしたＳ端子コネクタの基板への取付構造において、前記Ｓ端子コネクタの脚部は平板状であり、Ｓ端子コネクタに前方から接続されるＳ端子ケーブルの差込み方向に対して前記脚部の板面が平行となる向きに設けられて下端に係止爪が設けられ、前記基板には、この脚部が係入係止される係入穴が前後向きに形成されており、前記Ｓ端子コネクタの脚部を前記基板の前後向きの係入穴に係入係止することによって、前記Ｓ端子コネクタが前記基板に取付固定されるように構成したことを特徴とするＳ端子コネクタの基板への取付構造。
【請求項３】
前記Ｓ端子コネクタの脚部は、コネクタ本体の下部より左右方向と前後方向の三方向きに水平向きに形成され、これらの三方向きの脚部が下向きに折曲されることによって、左右に前後向きの一対の脚部が形成されるとともに、後側に左右向きの１本の脚部が形成され、前記基板には、平面視略コ字形の位置に、前記三方向きの３本の脚部が係入係止される係入穴が３箇所形成されていることを特徴とする請求項２に記載のＳ端子コネクタの基板への取付構造。
【請求項４】
前記Ｓ端子コネクタの脚部の係止爪の上側には、前記基板の上面に当接し前記係止爪とで上下位置で基板を挟み込む外向き突片が形成されていることを特徴とする請求項２又は３に記載のＳ端子コネクタの基板への取付構造。
【発明の詳細な説明】
【０００１】
【発明の属する技術分野】
本発明は、Ｓ端子コネクタの脚部を基板に係入係止して、このＳ端子を基板に取付固定するようにしたＳ端子コネクタの基板への取付構造に関する。
【０００２】
【従来の技術】
従来、この種のＳ端子コネクタの基板への取付構造は、Ｓ端子コネクタの脚部が、前方から接続されるＳ端子ケーブルの差込み方向に対して脚部の板面が垂直となる向きに設けられていたので、このＳ端子コネクタにＳ端子ケーブルを差し込んだときに、Ｓ端子コネクタが後向きに斜めに倒れるようになり、基板のパターンを剥がしてしまうために、ビス止めできる穴をＳ端子コネクタに形成して、この穴にビスを止めることによってＳ端子コネクタが後向きに斜めに倒れることを防ぐようにしていた。
ところが、ビス止めする穴をＳ端子コネクタに形成しなくてはならないとともに、ビスを必要とするので、部品点数が多くなり、作業能率が低下し、コストアップとなるという問題があった。
【０００３】
第１の従来技術を図５（ａ）（ｂ）（ｃ）に示す。略水平状態のプリント基板１２２と、本体１１５の一垂直面に他のコネクタとの接続部１１７を備え、本体１１５の他面より複数の端子１１９をプリント基板１２２に向けて導出するコネクタ１１４と、接続部１１７の先端を挿通する開口部１２６を備え、開口部１２６に本体１１５の一垂直面を当接して本体１１５を固定するパネル１２５とから成り、複数の端子の中間部を屈曲せしめてダンバ部１２１をそれぞれ形成し、複数の端子１１９の先端部をプリント基板１２２の透孔１２３に挿通後ハンダ付けすると共に、複数の端子１１９の内少なくとも二つの端子１１９の先端部と接続部１１７の中心点とで構成する面が、パネル面１２５およびプリント基板１２２に対して直角であるものである。（例えば、特許文献１参照）。
ところが、これにおいては、端子１１９が線状の形状をしていて、前方から他のコネクタを接続部１１７に接続するときに、後側に斜めに倒れやすいものであった。
【０００４】
第２の従来技術を図６（ａ）（ｂ）（ｃ）、図７（ａ）（ｂ）（ｃ）、図８に示す。プラグ挿入口１−３付近にフック２０２を有する。フック２０２には、上段２−１、中段２−２および下段２−３（段数は任意）の段が付いており、この段とジャック本体２０１の底面とで形成される空間にプリント基板２０３がはまりこむ。プリント基板２０３の厚さは、それぞれの段によって形成される寸法ａ、ｂおよびｃ等によって数種類選べる。ジャックの端子２０２はプリント基板２０３のジャック実装面に半田付け２０５されるものである。（例えば、特許文献２参照）。
ところが、これにおいては、ジャックの端子２０２は、電源プラグ等を差し込む方向に対して垂直向き即ち横向きに設けられているので、電源プラグ等を差し込んだときに、後側に倒れやすいものであった。
【０００５】
【特許文献１】
実開平４−７６２６０号公報
【特許文献２】
特開平１０−４０９８０号公報
【０００６】
【発明が解決しようとする課題】
本発明は、Ｓ端子ケーブルをＳ端子コネクタに差し込むときに、このＳ端子コネクタが後側に倒れて動くことを防げて差込み時の力でＳ端子コネクタの脚部に付いている半田とパターンを剥がれにくくすることができるＳ端子コネクタの基板への取付構造を提供することを課題とする。
【０００７】
【課題を解決するための手段】
本発明は、上記課題を解決するために提案されたものであって、請求項１に記載の発明は、Ｓ端子コネクタの脚部を基板に係入係止して、このＳ端子コネクタを基板に取付固定するようにしたＳ端子コネクタの基板への取付構造において、前記Ｓ端子コネクタの脚部は平板状であり、Ｓ端子コネクタに前方から接続されるＳ端子ケーブルの差込み方向に対して前記脚部の板面が平行となる向きに設けられ、この脚部の前後方向中央に下端から上側に向けて略Ｕ字形の切り込みが形成されるとともに下端に係止爪が設けられ、前記基板には、この脚部が係入係止される係入穴が前後向きに形成されており、前記Ｓ端子コネクタの脚部を前記基板の前後向きの係入穴に係入係止することによって、前記Ｓ端子コネクタが前記基板に取付固定されるように構成したことを特徴としている。
【０００８】
請求項２に記載の発明は、Ｓ端子コネクタの脚部を基板に係入係止して、このＳ端子コネクタを基板に取付固定するようにしたＳ端子コネクタの基板への取付構造において、前記Ｓ端子コネクタの脚部は平板状であり、Ｓ端子コネクタに前方から接続されるＳ端子ケーブルの差込み方向に対して前記脚部の板面が平行となる向きに設けられて下端に係止爪が設けられ、前記基板には、この脚部が係入係止される係入穴が前後向きに形成されており、前記Ｓ端子コネクタの脚部を前記基板の前後向きの係入穴に係入係止することによって、前記Ｓ端子コネクタが前記基板に取付固定されるように構成したことを特徴としている。
【０００９】
請求項３に記載の発明は、前記Ｓ端子コネクタの脚部は、コネクタ本体の下部より左右方向と前後方向の三方向きに水平向きに形成され、これらの三方向きの脚部が下向きに折曲されることによって、左右に前後向きの一対の脚部が形成されるとともに、後側に左右向きの１本の脚部が形成され、前記基板には、平面視略コ字形の位置に、前記三方向きの３本の脚部が係入係止される係入穴が３箇所形成されていることを特徴としている。
請求項４に記載の発明は、前記Ｓ端子コネクタの脚部の係止爪の上側には、前記基板の上面に当接し前記係止爪とで上下位置で基板を挟み込む外向き突片が形成されていることを特徴としている。
【００１０】
【発明の実施の形態】
以下、本発明に係るＳ端子コネクタの基板への取付構造の実施の形態について、図を参照しつつ説明する。
図１は本発明の第１実施形態のＳ端子コネクタの基板への取付構造を示す分解斜視図、図２は同構造におけるＳ端子コネクタの底面図である。
【００１１】
この第１実施形態のＳ端子コネクタの基板への取付構造は、図１、図２に示すように、Ｓ端子コネクタ１の脚部２を基板３に係入係止して、このＳ端子コネクタ１を基板３に取付固定するようにしたものであり、Ｓ端子コネクタ１の脚部２は平板状であり、Ｓ端子コネクタ１に前方から接続されるＳ端子ケーブル４の差込み方向に対して脚部２の板面２ａが平行となる向きに設けられている。
更に、この脚部２の前後方向中央に下端から上側に向けて略Ｕ字形の切り込み２ｂが形成されるとともに下端に係止爪２ｃ、２ｃが設けられている。
また、基板３には、この脚部２が係入係止される係入穴５が前後向きに形成されていて、Ｓ端子コネクタ１の脚部２を基板の前後向きの係入穴５に係入係止することによって、Ｓ端子コネクタ１が基板３に取付固定されるようになっている。
【００１２】
したがって、この第１実施形態によれば、Ｓ端子コネクタ１の脚部２が基板２の前後向きの係入穴５に、Ｓ端子コネクタ１に前方から接続されるＳ端子ケーブル４の差込み方向に対して脚部２の板面２ａが平行となる向き（図では前後向き）に設けられているので、Ｓ端子ケーブル４をＳ端子コネクタ１に差し込むときに、このＳ端子コネクタ１が後側に倒れて動くことを防げて差込み時の力でＳ端子コネクタ１の脚部２に付いている半田とパターンを剥がれにくくすることができる。
しかも、Ｓ端子コネクタ１の脚部２の前後方向中央に下端から上側に向けて略Ｕ字形の切り込み２ｂが形成されているので、下端の両側に係止爪２ｃ、２ｃを有する脚部２を基板３の係入穴５に係入するときに、この脚部２の下端が内側に狭まるので、この脚部２を基板３の係入穴５にスムーズに係入することができ、係入した後にはその復帰力で外側に拡がるので、係止爪２ｃ、２ｃを基板２のに下面に確実に係止することができる。
【００１３】
図３は第２実施形態のＳ端子コネクタの基板への取付構造を示し、（ａ）はそのコネクタ本体と３方の脚部を折曲する前の状態を示す展開図、（ｂ）は（ａ）における３方の脚部が係入係止される基板の略コ字形の向きに形成された係入穴を示す平面図である。
この第２実施形態のＳ端子コネクタの基板への取付構造は、図３に示すように、Ｓ端子コネクタ１の脚部２Ａ、２Ｂ、２Ｃは、コネクタ本体１ａの下部より左右方向と前後方向の三方向きに水平向きに形成され、これらの三方向きの脚部２Ａ、２Ｂ、２Ｃが下向きに折曲されることによって、左右に前後方向の一対の脚部２Ａ、２Ｂが形成されるとともに、後側に左右向きの１本の脚部２Ｃが形成されるようになっている。
【００１４】
また、基板３には、平面視略コ字形の位置に、三方向きの３本の脚部２Ａ、２Ｂ、２Ｃが係入係止される係入穴５Ａ、５Ｂ、５Ｃが３箇所形成されている。
したがって、この第２実施形態では、Ｓ端子コネクタ１が後向きに倒れて動くことを防ぐことができるとともに、横向きに倒れて動くことも防ぐことができる。
【００１５】
図４は第３実施形態のＳ端子コネクタの基板への取付構造を示す断面図である。
この第３実施形態のＳ端子コネクタの基板への取付構造は、図４に示すように、Ｓ端子コネクタ１の脚部２の係止爪２ｃ、２ｃの上側には、基板３の上面に当接し係止爪２ｃ、２ｃとで上下位置で基板３を挟み込む外向き突片２ｄ、２ｄが形成されている。
したがって、この第３実施形態では、脚部２の上下の係止爪２ｃ、２ｃと外向き突片２ｄ、２ｄとで、基板３を挟み込んでいるので、Ｓ端子コネクタ１を基板３に強固に固定された状態で取り付けることができ、Ｓ端子コネクタ１が倒れて動くことを確実に防ぐことができる。
【００１６】
【発明の効果】
以上説明したように、請求項１に記載の発明は、Ｓ端子コネクタの脚部を基板に係入係止して、このＳ端子コネクタを基板に取付固定するようにしたＳ端子コネクタの基板への取付構造において、Ｓ端子コネクタの脚部は平板状であり、Ｓ端子コネクタに前方から接続されるＳ端子ケーブルの差込み方向に対して脚部の板面が平行となる向きに設けられ、この脚部の前後方向中央に下端から上側に向けて略Ｕ字形の切り込みが形成されるとともに下端に係止爪が設けられ、基板には、この脚部が係入係止される係入穴が前後向きに形成されており、Ｓ端子コネクタの脚部を基板の前後向きの係入穴に係入係止することによって、Ｓ端子コネクタが基板に取付固定されるように構成したから、以下に述べる効果を奏する。
【００１７】
即ち、Ｓ端子コネクタの脚部が基板の前後向きの係入穴に、Ｓ端子コネクタに前方から接続されるＳ端子ケーブルの差込み方向に対して脚部の板面が平行となる向きに設けられているので、Ｓ端子ケーブルをＳ端子コネクタに差し込むときに、このＳ端子コネクタが後側に倒れて動くことを防げて差込み時の力でＳ端子コネクタの脚部に付いている半田とパターンを剥がれにくくすることができる。しかも、Ｓ端子コネクタの脚部の前後方向中央に下端から上側に向けて略Ｕ字形の切り込みが形成されているので、下端の両側に係止爪を有する脚部を基板の係入穴に係入するときに、この脚部の下端が内側に狭まるので、この脚部を基板の係入穴にスムーズに係入することができ、係入した後にはその復帰力で外側に拡がるので、係止爪を基板の下面に確実に係止することができる。
【００１８】
請求項２に記載の発明は、Ｓ端子コネクタの脚部を基板に係入係止して、このＳ端子コネクタを基板に取付固定するようにしたＳ端子コネクタの基板への取付構造において、Ｓ端子コネクタの脚部は平板状であり、Ｓ端子コネクタに前方から接続されるＳ端子ケーブルの差込み方向に対して脚部の板面が平行となる向きに設けられて下端に係止爪が設けられ、基板には、この脚部が係入係止される係入穴が前後向きに形成されており、Ｓ端子コネクタの脚部を基板の前後向きの係入穴に係入係止することによって、Ｓ端子コネクタが基板に取付固定されるように構成したから、以下に述べる効果を奏する。
【００１９】
即ち、Ｓ端子コネクタの脚部が基板の前後向きの係入穴に、Ｓ端子コネクタに前方から接続されるＳ端子ケーブルの差込み方向に対して脚部の板面が平行となる向きに設けられているので、Ｓ端子ケーブルをＳ端子コネクタに差し込むときに、このＳ端子コネクタが後側に倒れて動くことを防げて差込み時の力でＳ端子コネクタの脚部に付いている半田とパターンを剥がれにくくすることができる。
【００２０】
請求項３に記載の発明は、Ｓ端子コネクタの脚部は、コネクタ本体の下部より左右方向と前後方向の三方向きに水平向きに形成され、これらの三方向きの脚部が下向きに折曲されることによって、左右に前後向きの一対の脚部が形成されるとともに、後側に左右向きの１本の脚部が形成され、基板には、平面視略コ字形の位置に、三方向きの３本の脚部が係入係止される係入穴が３箇所形成されているので、Ｓ端子コネクタが後向きに倒れて動くことを防ぐことができるとともに、横向きに倒れて動くことも防ぐことができる。
【００２１】
請求項４に記載の発明は、Ｓ端子コネクタの脚部の係止爪の上側には、基板の上面に当接し係止爪とで上下位置で基板を挟み込む外向き突片が形成されているので、脚部の上下の係止爪と外向き突片とで、基板を挟み込むことにより、Ｓ端子コネクタを基板に強固に固定された状態で取り付けることができ、Ｓ端子コネクタが倒れて動くことを確実に防ぐことができる。
【図面の簡単な説明】
【図１】本発明の第１実施形態のＳ端子コネクタの基板への取付構造を示す分解斜視図である。
【図２】同構造におけるＳ端子コネクタの底面図である。
【図３】第２実施形態のＳ端子コネクタの基板への取付構造を示し、（ａ）はそのコネクタ本体と３方の脚部を折曲する前の状態を示す展開図、（ｂ）は（ａ）における３方の脚部が係入係止される基板の略コ字形の向きに形成された係入穴を示す平面図である。
【図４】第３実施形態のＳ端子コネクタの基板への取付構造を示す断面図である。
【図５】従来のコネクタ装置を示し、（ａ）はその一部省略側面図、（ｂ）はその組み付け前の状態を示す一部省略した断面図、（ｃ）はそのコネクタの前面図である。
【図６】従来のジャックの取付構造におけるジャックのプリント基板への実装状態を示し、（ａ）はその平面図、（ｂ）はその正面図、（ｃ）はその側面図である。
【図７】同取付構造におけるジャックのフック部の詳細を示し、（ａ）はその平面図、（ｂ）はその正面図、（ｃ）はその側面図である。
【図８】同取付構造におけるジャックを固定するプリント基板を示す部分平面図である。
【符号の説明】
１          Ｓ端子コネクタ
１ａ        コネクタ本体
２          脚部
２Ａ        脚部
２Ｂ        脚部
２Ｃ        脚部
２ａ        板面
２ｂ        切り込み
２ｃ        係止爪
２ｄ        外向き突片
３          基板
４          Ｓ端子ケーブル
５          係入穴
５Ａ        係入穴
５Ｂ        係入穴
５Ｃ        係入穴
【図１】
2004213929.tif 000003
【図２】
2004213929.tif 000004
【図３】
2004213929.tif 000005
【図４】
2004213929.tif 000006
【図５】
2004213929.tif 000007
【図６】
2004213929.tif 000008
【図７】
2004213929.tif 000009
【図８】
2004213929.tif 000010